(57)【要約】【課題】締上時点における現金回収庫の過収納を防止することができる入出金管理方法及び現金入出金機を提供することを目的とする。【解決手段】回収庫に収納された現金額が０円である場合において小口出金が行われる度に小口出金の金額を累積処理し、小口出金が累積されている場合に入金処理が行われると、小口出金の累積額から入金処理の入金額を減じ、入金処理の入金額が小口出金の累積額よりも多い場合にのみ、複数のレジスタの各々から回収した現金を回収庫に収納することを許容する。【選択図】図５
2010072925.tif 000002
【特許請求の範囲】
【請求項１】
複数のレジスタに対して釣銭として使用する現金を釣銭収納庫から出金する通常出金処理と、経費の支払いに使用する現金を前記釣銭収納庫から出金する小口出金処理と、前記複数のレジスタの各々から回収した現金を売上金として収納する回収庫及び前記釣銭収納庫に入金する入金処理と、を行う現金入出金機における入出金管理方法であって、
前記回収庫に収納された現金額が０円である場合において前記小口出金が行われる度に前記小口出金の金額を累積処理し、
前記小口出金が累積されている場合に前記入金処理が行われると、前記小口出金の累積額から前記入金処理の入金額を減じ、
前記入金処理の入金額が前記小口出金の累積額よりも多い場合にのみ、前記複数のレジスタの各々から回収した現金を前記回収庫に収納することを許容することを特徴とする入出金処理方法。
【請求項２】
前記小口出金の金額の累積処理は、前記回収庫内の現金額に対応した売上収納額から前記小口出金の金額を減算することを特徴とする請求項１に記載の入出金処理方法。
【請求項３】
前記小口出金の金額の累積処理は、前記小口出金による出金金額を前回の減算結果から減算することを特徴とする請求項２に記載の入出金処理方法。
【請求項４】
複数のレジスタから回収された現金を入金するための現金入金口と、釣銭用又は経費支払い用の現金を出金するための現金出金口と、釣銭用の現金を収納する釣銭収納庫と、売上金を収納する回収庫と、前記釣銭収納庫からの出金処理並びに前記釣銭収納庫及び前記回収庫への入金処理を制御する制御部と、を有する現金入出金機であって、
前記制御部は、前記回収庫に収納された現金額が０円である場合において、前記経費支払い用の現金の出金処理が行われる度に前記経費支払い用の現金の出金額を累積処理し、
前記経費支払い用の現金の出金額が累積されている場合に入金処理が行われると、前記累積処理によって得られる累積額から前記入金処理の入金額を減じ、
前記入金処理の入金額が前記累積処理によって得られる累積額よりも多い場合にのみ、前記複数のレジスタから回収された現金を前記回収庫に収納することを特徴とする現金入出金機。
【請求項５】
前記制御部は、前記回収庫内の現金額に対応した売上収納額から前記経費支払い用の現金額を減算することを特徴とする請求項４に記載の現金入出金機。
【請求項６】
前記制御部は、前記経費支払い用の現金額を前回の減算結果から減算することを特徴とする請求項５に記載の現金入出金機。
【発明の詳細な説明】
【技術分野】
【０００１】
本発明は、小売店等に設置されるレジスタに補充される釣銭用現金の出金処理及びレジスタから回収した現金の入金処理等を行う現金入出金機及び当該現金入出金機における入出金管理方法に関するものである。
【背景技術】
【０００２】
従来から知られている現金入出金機は、小売店の店舗に設置された複数のレジスタに対し、釣銭用の現金を釣銭用現金収納庫から出金する出金機能を有している。また、このような現金入出金機は、レジスタから回収した現金を入金する場合に、釣銭用の現金を釣銭用現金収納庫に収納し、売上分の現金を現金回収庫に収納する機能を有している。更に、このような現金入出金機は、入出金処理毎の入金額及び出金額並びに金種毎の入金枚数等を取引履歴として記憶部に記録して管理することができる。特許文献１に開示されている現金管理装置は、各レジスタに対応付けられたカードの個体識別コードを読取り、入出金処理を行う者であるレジ担当者が入出金作業を実施できる者であるか否か（すなわち、入出金処理者として予め登録された者か否か）を確認する。これによって、特許文献１に開示されている現金管理装置は、入出金処理を行うことが認められている者に対してのみ、入金及び出金の処理を実行するための許可を与えることができる。
【０００３】
しかしながら、上述したような従来の現金入出金機を使用して入出金処理を行うと、以下のような問題があった。かかる問題を図１を参照しつつ、詳細に説明する。
【０００４】
先ず、小売店の開店前の状態として、現金回収庫内の残金額である売上収納額は０円であり、釣銭用現金収納庫内の残金額である釣銭収納額は５０万円である。その後、小売店の開店前に、小口出金として２０万円が現金入出金機から出金される。ここで、小口出金とは、レジスタの釣銭用の出金ではなく、文具代や新聞代等の所定の経費の支払いに使用される出金（すなわち、予定外の出金）のことである。このような小口出金は釣銭用現金収納庫から払出されるため、当該小口出金後の釣銭収納額は３０万円になる。
【０００５】
次に、通常出金として１０万円が現金入出金機から出金される。ここで、通常出金とは、小売店の開店準備を行うための準備金（すなわち、レジスタに供給される釣銭）として使用される出金（すなわち、業務上必ず行われる出金）のことである。このような、通常出金も釣銭用現金収納庫から払出されるため、当該通常出金後の釣銭収納額は２０万円になる。更に、別なレジスタの釣銭準備金として、すなわち通常出金として１０万円が現金入出金機から出金される。この追加の通常出金後の釣銭収納額は１０万円になる。
【０００６】
次に、小売店の閉店後に、各レジスタに蓄積された現金（開店前に供給した釣銭及び売上金）がレジスタ毎に現金入出金機に入金される。入金額は１５万円であり、その詳細は、一万円札（万券）が２枚、五千円札（五千券）が２０枚、千円札（千券）が５０枚である。ここで、一万円札は釣銭としては使用されることが無いため、２枚の一万円札は現金入出金機の現金回収庫に収納される。これによって、現金回収庫内の残金額である売上収納額は２万円になる。また、残りの現金（すなわち、五千円札及び千円札）は、現金入出金機の釣銭用現金収納庫に収納される。これによって、釣銭用現金収納庫内の残金額である釣銭収納額は２３万円になる。ここで、売上額とは、レジ業務として集計された金額のみのことであり、入金額から通常出金額を減算することで算出することができる。すなわち、売上額には、小口出金が計上されることは無い。従って、上述した通常出金及び入金によって、売上額として５万円が集計される。
【０００７】
続いて、異なるレジスタから現金が現金入出金機に入金される。入金額は４０万円であり、その詳細は、一万円札（万券）が１５枚、五千円札（五千券）が２０枚、千円札（千券）が１００枚である。一万円札は釣銭としては使用されることが無いため、上記した入金処理と同様に、１５枚の一万円札は現金入出金機の現金回収庫に収納される。これによって、現金回収庫内の残金額である売上収納額が１７万円になる。また、残りの現金（すなわち、五千円札及び千円札）は、現金入出金機の釣銭用現金収納庫に収納される。これによって、釣銭用現金収納庫内の残金額である釣銭収納額は４８万円になる。また、売上額はレジスタ毎に集計されるため、上述した通常出金及び入金によって、新たに売上額として３０万円が集計される。
【０００８】
上述した入出金処理後の締上結果として、合計出金額が４０万円（小口出金２０万円に通常出金の合計額２０万円を加算した金額）、合計入金額が５５万円（１５万に４０万円を加算した金額）、最終売上額が１５万円（合計入金額５５万円から合計出金額４０万円を減算した金額）として算出される。
【０００９】
しかしながら、締上段階においては、釣銭用現金収納庫内の残金額である釣銭収納額が、開店前よりも２万円少なくなっている。一方で、現金回収庫内の残金額である売上収納額が、最終売上額よりも２万円多くなっている。すなわち、釣銭用現金収納庫の釣銭収納額が開店前よりも不足し、その不足分だけ現金回収庫に過収納が発生している。このような過収納が発生しても、各小売店では現金回収庫から現金を取り出すことが出来ないため、各小売店の売上を回収及び集計する中央センターから過収納額を返却してもうらための手続が必要になってしまう。なお、各小売店において現金回収庫から現金を取り出すことを可能にすることによって、締上時点における過収納額を釣銭用現金収納庫に移動させることも考えられるが、移動する現金額の間違えや防犯上の観点から現金回収庫からの現金取り出しを可能にすることは難しい。
【特許文献１】特開２００５−３８０６２号公報
【発明の開示】
【発明が解決しようとする課題】
【００１０】
本発明は、以上の如き事情に鑑みてなされたものであり、締上時点における現金回収庫の過収納を防止することができる入出金管理方法及び現金入出金機を提供する。
【課題を解決するための手段】
【００１１】
上述した課題を解決するために、本発明の入出金管理方法は、複数のレジスタに対して釣銭として使用する現金を釣銭収納庫から出金する通常出金処理と、経費の支払いに使用する現金を釣銭収納庫から出金する小口出金処理と、複数のレジスタの各々から回収した現金を売上金として収納する回収庫及び釣銭収納庫に入金する入金処理と、を行う現金入出金機における入出金管理方法であって、回収庫に収納された現金額が０円である場合において小口出金が行われる度に小口出金の金額を累積処理し、小口出金が累積されている場合に入金処理が行われると、小口出金の累積額から入金処理の入金額を減じ、入金処理の入金額が小口出金の累積額よりも多い場合にのみ、複数のレジスタの各々から回収した現金を回収庫に収納することを許容することを特徴とする。
【００１２】
また、上述した課題を解決するために、本発明の現金入出金機は、複数のレジスタから回収された現金を入金するための現金入金口と、釣銭用又は経費支払い用の現金を出金するための現金出金口と、釣銭用の現金を収納する釣銭収納庫と、売上金を収納する回収庫と、釣銭収納庫からの出金処理並びに釣銭収納庫及び回収庫への入金処理を制御する制御部と、を有する現金入出金機であって、制御部は、回収庫に収納された現金額が０円である場合において、経費支払い用の現金の出金処理が行われる度に経費支払い用の現金の出金額を累積処理し、経費支払い用の現金の出金額が累積されている場合に入金処理が行われると、累積処理によって得られる累積額から入金処理の入金額を減じ、入金処理の入金額が累積処理によって得られる累積額よりも多い場合にのみ、複数のレジスタから回収された現金を回収庫に収納することを特徴とする。
【発明の効果】
【００１３】
本発明の入出金管理方法によれば、回収庫に収納された現金額が０円である場合において小口出金が行われる度に小口出金の金額を累積処理し、小口出金が累積されている場合に入金処理が行われると、小口出金の累積額から入金処理の入金額を減じ、入金処理の入金額が小口出金の累積額よりも多い場合にのみ、複数のレジスタの各々から回収した現金を回収庫に収納することを許容することによって、締上時点における現金回収庫の過収納を防止することができる。
【発明を実施するための最良の形態】
【００１４】
以下、本発明の実施例について添付図面を参照しつつ詳細に説明する。
【実施例】
【００１５】
図２は、本発明の実施例である入出金管理方法の実施に使用される現金入出金機１０のブロック図である。
【００１６】
図２に示されているように、現金入出金機１０は、主制御部１１、記憶部１２、表示部１３、カードリーダ１４、入力部１５、伝票記録部１６、紙幣取扱部１７及び硬貨取扱部１８から構成されている。
【００１７】
主制御部１１は、現金入出金機１０全体を統括制御する機能を備えている。例えば、主制御部１１は、記憶部１２に格納された制御プログラムに基づいて、現金入出金機１０全体を統括制御する。また、主制御部１１は、紙幣取扱部１７及び硬貨取扱部１８によって入出金処理が行われると、記録部１２が有する装置内有高管理テーブルの各項目に処置内容及び処理金額等の所定内容を登録（記録）し、入出金処理毎の入出金処理履歴を記憶部１２に更新登録する。更に、主制御部１１は、各種の演算を実施する演算部としても機能する。
【００１８】
記憶部１２には、主制御部１１が実行する制御プログラムが格納されている。また、記憶部１２は、装置内の現金有高を記録するための装置内有高管理テーブルを有している。この装置内有高管理テーブル内の各項目に入出金処理に伴う所定内容が登録されることより、入出金処理履歴が更新される。
【００１９】
表示部１３は、各種の処理操作の案内、現金処理のための入力画面、入力部１５から入力された情報、金種別の入金又は出金の金額及び入金又は出金の合計金額を表示する。例えば、表示部１３は液晶ディスプレイ等の表示画面を有している。
【００２０】
カードリーダ１４は、現金入出金機１０の利用者であるレジ担当者及び店長（管理者）等が使用する利用者識別カード（以下、単にＩＤカードと称する）の情報を読みとる。ここで、ＩＤカードには、利用者区分情報（例えば、レジ担当者、管理者、現金回収者を表わす情報）及びカードを特定するためのカード固有番号がカード情報として記録されている。更に、レジ担当者用のＩＤカードには、レジスタを特定するためのレジ番号もカード情報として記録されている。なお、レジ担当者に対して所定のレジスタが特定されたＩＤカードを配布せずに、レジスタ毎にレジ番号が記録されたＩＤカードを準備しても良い。
【００２１】
入力部１５は、例えば、キーボード又は表示部１３上に配置されたタッチパネルである。入力部１５は、レジ担当者、管理者及び現金回収者による操作に対応した入力信号を生成し、当該入力信号を主制御部１１に供給する。なお、主制御部１１は、供給される入力信号に応じて、入金処理、出金処理、締上処理、回収処理等の各種処理を実行する。
【００２２】
伝票記録部１６は、紙幣取扱部１７及び硬貨取扱部１８で行われた入金又は出金処理の金額及び金種別枚数を伝票に記載し、当該伝票を出力する。伝票記録部１６は、例えば、プリンタである。
【００２３】
紙幣取扱部１７は、一万円札、五千円札、二千円札及び千円札等の紙幣のみの入出金処理を実施する。図２に示されているように、紙幣取扱部１７は、紙幣制御部２１、紙幣入出金口２２、紙幣鑑別部２３、紙幣一時保留部２４、紙幣釣銭収納庫２５及び紙幣回収庫２６から構成されている。
【００２４】
紙幣制御部２１は、紙幣取扱部１７内の各部を制御し、入金処理又は出金処理等の各種の処理を実行する。例えば、紙幣制御部２１は、記憶部１２又は紙幣取扱部１７内に設けられた紙幣記憶部（図示せず）に格納された制御プログラムに基づいて、紙幣取扱部１７全体の動作制御を行う。
【００２５】
紙幣入出金口２２は、入金処理時にレジスタから回収した紙幣を一括して受け入れるための入金口と、出金処理時に釣銭としての紙幣を排出するための出金口としての機能を有している。例えば、紙幣入出金口２２は、紙幣シャッタ（図示せず）の開閉により、紙幣の入出金時のみに開口した状態になる。
【００２６】
紙幣鑑別部２３は、紙幣の金種を鑑別し、鑑別した紙幣を金種毎に計数する。また、紙幣鑑別部２３は、偽造紙幣であるか否かの鑑別を行う。更に、紙幣鑑別部２３は、紙幣の破損の有無も鑑別する。なお、紙幣鑑別部２３によって偽造紙幣又は破損紙幣と判断された紙幣は、紙幣入出金口２２から返却される。また、紙幣鑑別部２３によって偽造紙幣又は破損紙幣と判断された紙幣は、専用の回収庫に収納されても良い。
【００２７】
紙幣一時保留部２４は、紙幣鑑別部２３で鑑別及び計数された紙幣を集積するとともに一時的に待機させる。紙幣一時保留部２４に一時的に待機された紙幣は、紙幣制御部２１からの搬送指示に応じて紙幣入出金口２３又は紙幣釣銭収納庫２５若しくは紙幣回収庫２６に搬送される。
【００２８】
紙幣釣銭収納庫２５は、レジスタ用の釣銭準備金として使用される紙幣を金種別に収納する。例えば、紙幣釣銭収納庫２５は１万円、５千円、２千円及び千円の金種毎に紙幣を収納することができる。ここで、１万円は釣銭として使用されることはないが、後述する入金制御によって一万円札も紙幣釣銭収納庫２３に収納されることがあるため、本実施例においては紙幣釣銭収納庫２５の金種別の振り分けに１万円も含まれている。紙幣釣銭収納庫２５には、収納する紙幣の保管基準額が金種毎に設定されている。なお、紙幣制御部２１は、この保管基準額を保つように、入金処理された紙幣を紙幣釣銭収納庫２５又は紙幣回収庫２６に振り分ける。
【００２９】
紙幣回収庫２６は、売上金を金種別に収納する金庫であって、現金入出金機１０から着脱自在な構造となっている。従って、紙幣回収庫２６に収納された売上金は、紙幣回収庫２６に収納されたままでの状態で小売店を統括する本部店舗に搬送される。紙幣回収庫２６は、防犯上の観点等から小売店での開閉（すなわち、紙幣の取り出し）を行うことが出来ない構造となっている。
【００３０】
硬貨取扱部１８は、５００円、１００円、５０円、１０円、５円及び１円等の硬貨のみの入出金処理を実施する。図２に示されているように、硬貨取扱部１８は、硬貨制御部３１、硬貨入金口３２、硬貨鑑別部３３、硬貨リジェクト口３４、硬貨一時保留庫３５、硬貨釣銭収納庫３６、硬貨回収庫３７及び硬貨出金庫３８から構成されている。
【００３１】
硬貨制御部３１は、硬貨取扱部１８内の各部を制御し、入金処理又は出金処理等の各種の処理を実行する。例えば、硬貨制御部３１は、記憶部１２又は硬貨取扱部１８内に設けられた硬貨記憶部（図示せず）に格納された制御プログラムに基づいて、硬貨取扱部１８全体の動作制御を行う。
【００３２】
硬貨入金口３２は、入金処理時にレジスタから回収した硬貨を一括して受け入れるための入金口として機能する。例えば、硬貨入金口３２は、硬貨シャッタ（図示せず）の開閉により、硬貨の入金時のみに開口した状態になる。
【００３３】
硬貨鑑別部３３は、硬貨の金種を鑑別し、鑑別した硬貨を金種毎に計数する。また、硬貨鑑別部３３は、偽造硬貨であるか否かの鑑別を行う。更に、硬貨鑑別部３３は、硬貨の破損の有無も鑑別する。
【００３４】
硬貨リジェクト口３２は、硬貨鑑別部３３によって偽造硬貨又は破損硬貨と判断された硬貨を返却するための返却口として機能する。なお、上述した硬貨リジェクト口３２に代えて偽造硬貨又は破損硬貨専用の回収庫を設置することにより、硬貨鑑別部３３によって硬貨鑑別部３３によって偽造硬貨又は破損硬貨と判断された硬貨が当該回収庫に収納されても良い。
【００３５】
硬貨一時保留部３５は、硬貨鑑別部３３で鑑別及び計数された硬貨を集積するとともに一時的に待機させる。硬貨一時保留部３５に一時的に待機された硬貨は、硬貨制御部３１からの搬送指示に応じて硬貨リジェクト口３２又は硬貨釣銭収納庫３６若しくは硬貨回収庫３７に搬送される。
【００３６】
硬貨釣銭収納庫３６は、レジスタ用の釣銭準備金として使用される硬貨を金種別に収納する。硬貨釣銭収納庫３６は５００円、１００円、５０円、１０円、５円及び１円の金種毎に硬貨を収納することができる。硬貨釣銭収納庫３６には、収納する硬貨の保管基準額が金種毎に設定されている。なお、硬貨制御部３１は、この保管基準額を保つように、入金処理された硬貨を硬貨釣銭収納庫３６又は硬貨回収庫３７に振り分ける。
【００３７】
硬貨回収庫３７は、売上金を金種別に収納する金庫であって、現金入出金機１０から着脱自在な構造となっている。従って、硬貨回収庫３７に収納された売上金は、硬貨回収庫３７に収納されたままでの状態で小売店を統括する本部店舗に搬送される。硬貨回収庫３７は、防犯上の観点等から小売店での開閉（すなわち、紙幣の取り出し）を行うことが出来ない構造となっている。
【００３８】
硬貨出金庫３８においては、出金処理時にレジスタ用の釣銭準備金として使用される硬貨が金種別に集積される。硬貨出金庫３８は、レジ担当者等の出金者が出金された現金額を容易に算出することが出来るような構造となっている。例えば、硬貨出金庫３８には、金種毎に積まれた現金の枚数を容易に計数できるような目盛が設けてられている。
【００３９】
次に、記憶部１２が有する装置内有高管理テーブルの一例について、図３を参照しつつ詳細に説明する。
【００４０】
図３に示されているように、装置内有高管理テーブルは、通番、レジ番号、カード番号、処理日時、取引区分、金額、累計売上額、売上収納額及び釣銭収納額から構成されている。通番の領域には、処理毎に付与される通し番号が書込まれる。レジ番号の領域には、レジ担当者のＩＤカードから読み取られたレジ番号（レジスタを特定するためにレジスタ毎に割り当てられた番号）が書込まれる。カード番号の領域には、ＩＤカードから読み取られた利用者区分情報番号が書込まれる。例えば、管理者の区分情報番号は７７７７であり、レジ担当者の区分情報番号は９９９９である。処理日時の領域には、取引が実施された日時が書込まれる。
【００４１】
取引区分の領域には、各種取引内容が記載される。例えば、取引内容には、小口出金、通常出金、入金及び締上がある。ここで、小口出金とは、レジスタの釣銭用の出金ではなく、文具代や新聞代等の所定の経費の支払いに使用される出金（すなわち、予定外の出金）のことである。通常出金とは、小売店の開店準備を行うための準備金（すなわち、レジスタに供給される釣銭）として使用される出金（すなわち、業務上必ず行われる出金）のことである。また、通常出金は、レジスタ毎に行われる。入金とは、売上金及び開店前に供給された釣銭を現金入出金機１０に供給する処理のことである。また、入金も、レジスタ毎に行われる。締上とは、小売店の閉店時に最終的な売上額を算出するための処理である。例えば、小口出金及び締上は管理者のみが行うことができ、通常出金及び入金はレジ担当者のみが行うことができるように設定されている。
【００４２】
金額の領域には、入金、小口出金及び通常出金の処理における入金額又は出金額が書込まれる。累計売上額の領域には、各カード番号による入金又は通常出金の各金額を集計した売上額が書込まれる。例えば、レジ担当者による入金又は出金処理が実施されるとレジスタ毎の売上額の累計が累計売上額の領域に記載され、店長等による締上が実施されると小売店に設置された全レジスタの売上額の累計が累計売上額の領域に書込まれる。累計売上額は、締上が実施されることによってクリアされる（すなわち、０が書込まれる）。なお、累計売上額には、小売出金の金額は集計されない。
【００４３】
売上収納額の領域には、取引実施後に売上として紙幣回収庫２６及び硬貨回収庫３７に収納されている金額が通常書込まれる。しかしながら、紙幣回収庫２６及び硬貨回収庫３７に現金が収納されていない場合に小口出金が行なわれると、売上収納額から小口出金額を減算した金額が売上収納額の領域に書込まれる。例えば、紙幣回収庫２６及び硬貨回収庫３７に現金が収納されていない場合に、小口出金として１０万円が出金されると、売上収納額の領域には現在の収納金額ではなく、現在の収納金額である０円から小口出金額の１０万円が減算された値であるマイナス１０万円が書込まれる。そして、更に小口出金として１０万円が出金されると、前回の売上収納額として書込まれたマイナス１０万円から小口出金額の１０万円が減算されたマイナス２０万円が売上収納額の領域に書込まれる。すなわち、紙幣回収庫２６及び硬貨回収庫３７に現金が収納されていない場合に小口出金が行われると、売上収納額の領域には、小口出金の累計額のマイナス金額（累積額）が書込まれる。一方、紙幣回収庫２６及び硬貨回収庫３７に現金が収納されている場合に小口出金が行なわれても、売上収納額から小口出金額が減算されることはなく、売上収納額の領域には、紙幣回収庫２６及び硬貨回収庫３７に収納されている金額が書込まれる。また、紙幣回収庫２６及び硬貨回収庫３７に現金が収納されていない場合に通常出金が行なわれも、売上収納額から通常出金額が減算されることはなく、売上収納額の領域には、前回の処理時書込まれた金額が再度書込まれる。更に、売上収納額は、売上回収が実施されることによってクリアされる（すなわち、０が書込まれる）。
【００４４】
釣銭収納額の領域には、入出金処理後に釣銭として紙幣釣銭収納庫２５及び硬貨釣銭収納庫３６に収納されている金額が書込まれる。
【００４５】
次に、図４を参照しつつ、小口出金の処理の手順を詳細に説明する。
【００４６】
小売店の店長等の管理者によって自己が所有するＩＤカードが現金入出金機１０に設けられたカード挿入排出口に挿入されることにより、ＩＤカードの利用者区分、カード番号がカードリーダ１４によって読み取られる（ステップＳ４１）。続いて、管理者による入力部１５の操作により、自己の個人識別コード（以下、単に個人ＩＤと称する）及びパスワードが入力される（ステップＳ４２）。
【００４７】
主制御部１１は、管理者が入力した個人ＩＤ及びパスワードを、予め記憶部１２に登録されている個人ＩＤ及びパスワードと照合する。主制御部１１は、当該照合によって入力情報が記録情報と一致する場合に、ＩＤカードから読み取られた利用者区分に基づき、管理者が処理することができる「小口出金」及び「締上」が表示されたメニュー画面を表示部１３に表示する（ステップＳ４３）。ここで、管理者がメニュー画面の「小口出金」を選択することにより、当該選択に応じた入力信号が入力部１５から主制御部１１に供給される。主制御部１１は、入力信号の供給によって「小口出金」の選択を受付け（ステップＳ４４）、表示部１３に小口出金額入力画面を表示される。
【００４８】
次に、管理者による入力部１５の操作によって小口出金額が入力されると、当該小口出金額を表わす入力信号が入力部１５から主制御部１１に供給され、主制御部１１は、入力された小口出金額を受け付ける（ステップＳ４５）。主制御部１１は、入力された小口出金額と紙幣釣銭収納庫２５及び硬貨釣銭収納庫３６内の現金とを比較し、当該小口出金額を出金することが可能であるか否かを判断する（ステップＳ４６）。
【００４９】
ステップＳ４６において、紙幣釣銭収納庫２５及び硬貨釣銭収納庫３６内の現金の不足等により出金することが出来ないと判断された場合に、主制御部１１は、その旨を表示部１３に表示させるとともに、小口出金処理を終了させる。一方、ステップＳ４６において、当該小口出金額を出金することが可能と判断された場合には、紙幣釣銭収納庫２５及び硬貨釣銭収納庫３６から当該小口出金額に対応する紙幣及び硬貨が紙幣鑑別部２３及び硬貨鑑別部３３に供給される。紙幣鑑別部２３及び硬貨鑑別部３３に供給された紙幣及び硬貨は、紙幣鑑別部２３及び硬貨鑑別部３３によって計数され、その後に紙幣入出金口２２及び硬貨出金庫３８から出金される（ステップＳ４７）。
【００５０】
入力された小口出金額と同額の現金が出金されると、主制御部１１は今回の小口出金処理結果として通番、カード番号、処理日時、取引区分、金額、累計売上額、売上収納額及び釣銭収納額を記憶部１３の装置内有高管理テーブルの各領域に追加書込むことで、入出金処理履歴の更新登録を行う（ステップＳ４８）。続いて、伝票記録部１６によって今回の小口出金処理の結果が表示された伝票が発行され、ＩＤカードがカード挿入排出口から排出される（ステップＳ４９）。
【００５１】
次に、図５を参照しつつ、ステップＳ４８の入出金処理履歴の更新登録における売上収納額及び釣銭収納額の算出方法について詳細に説明するとともに、現金入出金機１０における出金制御についても説明する。
【００５２】
ステップＳ４７において小口出金額が出金された後に、主制御部１１は、売上収納額が０円以下であるかを判別する（ステップＳ５１）。ステップＳ５１において、売上収納額が０円以下（すなわち、紙幣回収庫２６及び硬貨回収庫３７内に現金が無い）の場合に、主制御部１１は、装置内有高管理テーブル内の最新の売上収納額から今回の小口出金額を減算し、減算後の金額を今回の売上収納額とする（ステップＳ５２）。続いて、主制御部１１は、装置内有高管理テーブル内の最新の釣銭収納額から今回の小口出金額を減算し、減算後の金額を今回の釣銭収納額とする（ステップＳ５２）。
【００５３】
一方、ステップＳ５１において、売上収納額が１円以上（すなわち、紙幣回収庫２６及び硬貨回収庫３７内に現金が収納されている）の場合に、主制御部１１は、紙幣回収庫２６及び硬貨回収庫３７内の現金額を今回の売上収納額とする（ステップＳ５４）。続いて、主制御部１１は、装置内有高管理テーブル内の最新の釣銭収納額から今回の小口出金額を減算し、減算後の金額を今回の釣銭収納額とする（ステップＳ５２）。
【００５４】
上述した売上収納額及び釣銭収納額の算出方法により、紙幣回収庫２６及び硬貨回収庫３７内に現金が無い状態において小口出金が行われると、売上収納額が小口出金額の累計額だけマイナス計上（すなわち、小口出金額の累積）されることになる。このような出金制御により、入金処理が実施される前の小口出金額の累計額を算出しておくことができる。なお、後述する入金処理において、売上収納額がマイナス計上されている状態では、紙幣釣銭収納庫２５及び硬貨釣銭収納庫３６のみ現金が収納され、紙幣回収庫２６及び硬貨回収庫３７には現金が収納されることはない。一方、後述する入金処理において、売上収納額が０円以上（すなわち、紙幣回収庫２６及び硬貨回収庫３７内に現金が収納された状態）では、紙幣釣銭収納庫２５、硬貨釣銭収納庫３６、紙幣回収庫２６又は硬貨回収庫３７のいずれかに現金が収納される。これによって、入金処理が実施される前の小口出金に伴う締上時の過収納を防止することができる。この理由は、後述する入金制御及び入出金処理の具体例の説明とともに説明する。
【００５５】
なお、通常出金の場合は、作業者がレジ担当者となり、図５のステップＳ５１の判断がされることがなく、常に紙幣回収庫２６及び硬貨回収庫３７内の現金額が通常出金処理時の売上収納額として装置内有高管理テーブルに書き込まれる。従って、上記部分以外は小口出金処理と変わらないため、その説明は省略する。
【００５６】
次に、図６を参照しつつ、入金の処理の手順を詳細に説明する。
【００５７】
レジ担当者によって自己が所有するＩＤカードが現金入出金機１０に設けられたカード挿入排出口に挿入されることにより、ＩＤカードの利用者区分、レジ番号及びカード番号がカードリーダ１４によって読み取られる（ステップＳ６１）。続いて、レジ担当者による入力部１５の操作により、自己の個人ＩＤ及びパスワードが入力される（ステップＳ６２）。
【００５８】
主制御部１１は、レジ担当者が入力した個人ＩＤ及びパスワードを、予め記憶部１２に登録されている個人ＩＤ及びパスワードと照合する。主制御部１１は、当該照合によって入力情報が記録情報と一致する場合に、ＩＤカードから読み取られた利用者区分に基づき、レジ担当者が処理することができる「通常出金」及び「入金」が表示されたメニュー画面を表示部１３に表示する（ステップＳ６３）。ここで、レジ担当者がメニュー画面の「入金」を選択することにより、当該選択に応じた入力信号が入力部１５から主制御部１１に供給される。主制御部１１は、入力信号の供給によって「入金」の選択を受付ける（ステップＳ６４）。
【００５９】
「入金」の選択を受付けた主制御部１１は、紙幣取扱部１７及び硬貨取扱部１８に紙幣シャッタ及び硬貨シャッタの開放を指示する。紙幣シャッタ及び硬貨シャッタの開放により開口した紙幣入出金口２２及び硬貨入金口３２にレジスタから回収された現金が供給され、当該供給された現金が紙幣鑑別部２３及び硬貨鑑別部３３によって鑑別及び計数される（ステップＳ６５）。
【００６０】
次に、計数された現金が紙幣一時保留部２４及び硬貨一時保留部３５によって一時保留された状態で、主制御部１１は、金種毎の枚数及び金額並びに全金種の合計額を計数結果として表示部１３に表示させる。当該計数結果を確認したレジ担当者によって入力された「納入する（すなわち、入金金額と計数金額とが一致する）」又は「納入しない（すなわち、入金金額と計数金額とが一致しない）」の入力信号が主制御部１１に供給される（ステップＳ６６）。
【００６１】
ステップＳ６６において、供給された現金を納入する場合には、紙幣一時保留部２４及び硬貨一時保留部３５によって一時保留された現金が、紙幣釣銭収納庫２５、硬貨釣銭収納庫３６、紙幣回収庫２６又は硬貨回収庫３７のいずれかに収納される。更に、主制御部１１は、当該収納結果に応じて通番、レジ番号、カード番号、処理日時、取引区分、金額、累計売上額、売上収納額及び釣銭収納額を記憶部１３の装置内有高管理テーブルの各領域に追加書込むことで、入出金処理履歴の更新登録を行う（ステップＳ６７）。続いて、伝票記録部１６によって今回の入金処理の結果が表示された伝票が発行され、ＩＤカードがカード挿入排出口から排出される（ステップＳ６８）。
【００６２】
一方、ステップＳ６６において、供給された現金を納入しない場合には、紙幣一時保留部２４及び硬貨一時保留部３５によって一時保留された現金が、紙幣入出金口２２及び硬貨リジェクト口３４から返却される（ステップＳ６９）。
【００６３】
次に、図７を参照しつつ、ステップＳ６７の入金方法及び入出金処理履歴の更新登録における売上収納額及び釣銭収納額の算出方法について詳細に説明するとともに、現金入出金機１０における入金制御についても説明する。
【００６４】
ステップＳ６６において供給された現金を納入する場合に、主制御部１１は、最新の売上収納額が０円以下であるかを判別する（ステップＳ７１）。ステップＳ７１において、売上収納額が０円以下（すなわち、紙幣回収庫２６及び硬貨回収庫３７内に現金が無い）の場合に、主制御部１１は、今回の入金処理の入金額の値が最新の売上収納額の絶対値よりも小さいか判別する（ステップＳ７２）。
【００６５】
ステップＳ７２において、入金額の値が売上収納額の絶対値より小さい場合には、主制御部１１は、今回入金された現金を紙幣釣銭収納庫２５及び硬貨釣銭収納庫３６だけに金種毎に収納するように、紙幣取扱部１７及び硬貨取扱部１８を制御する（ステップＳ７３）。すなわち、主制御部１１は、今回の入金額だけでは小口出金に伴う紙幣釣銭収納庫２５及び硬貨釣銭収納庫３６の減額を補填することができないと判断し、今回の入金額の全現金を紙幣釣銭収納庫２５及び硬貨釣銭収納庫３６に収納する。これによって、今回の入金が、小口出金に伴う紙幣釣銭収納庫２５及び硬貨釣銭収納庫３６の減額の一部が補填されたとして取扱われる。続いて、主制御部１１は、装置内有高管理テーブル内の最新の釣銭収納額に今回の入金額を加算し、加算後の金額を今回の釣銭収納額とする。また、主制御部１１は、装置内有高管理テーブル内の最新の売上収納額に入金額を加算し、加算後の金額を今回の売上収納額とする（ステップＳ７４）。
【００６６】
一方、ステップＳ７２において、入金額の値が売上収納額の絶対値以上の場合には、主制御部１１は、売上収納額の絶対値に等しい現金額を紙幣釣銭収納庫２５及び硬貨釣銭収納庫３６に収納するように、紙幣取扱部１７及び硬貨取扱部１８を制御する（ステップＳ７５）。なお、本ステップにおいて当該収納する金額を構成する金種は、千円札及び五千札を優先的に使用することが望ましい。これにより、釣銭として使用されることがない一万円札の紙幣釣銭収納庫２５及び硬貨釣銭収納庫３６への収納を防止することができるからである。続いて、主制御部１１は、装置内有高管理テーブル内の最新の売上収納額を一旦０円とする（ステップＳ７７）。更に、主制御部１１は、ステップＳ７５において収納されていない残りの現金を紙幣釣銭収納庫２５、硬貨釣銭収納庫３６、紙幣回収庫２６又は硬貨回収庫３７のいずれかに収納するように、紙幣取扱部１７及び硬貨取扱部１８を制御する（ステップＳ７７）。そして、主制御部１１は、装置内有高管理テーブル内の最新の釣銭収納額にステップＳ７５及びステップＳ７７において紙幣釣銭収納庫２５及び硬貨釣銭収納庫３６に収納された現金額を加算し、加算後の金額を今回の釣銭収納額とする。また、主制御部１１は、ステップＳ７８において紙幣回収庫２６及び硬貨回収庫３７に収納された現金額を今回の売上収納額とする（ステップＳ７８）。以上のようなステップＳ７５乃至ステップ７８を経ることによって、入金処理前にマイナス計上（累積）されていた小口出金に伴う紙幣釣銭収納庫２５及び硬貨釣銭収納庫３６の減額を完全に補填した上で、紙幣回収庫２６及び硬貨回収庫３７に売上金を収納することができる。
【００６７】
ステップＳ７１において、売上収納額が０円以上である場合には、入金処理前の小口出金に伴う紙幣釣銭収納庫２５及び硬貨釣銭収納庫３６の減額が完全に補填されているため、主制御部１１は、今回の入金処理によって供給された現金を紙幣釣銭収納庫２５、硬貨釣銭収納庫３６、紙幣回収庫２６又は硬貨回収庫３７のいずれかに収納するように、紙幣取扱部１７及び硬貨取扱部１８を制御する（ステップＳ７９）。続いて、制御部１１は、装置内有高管理テーブル内の最新の釣銭収納額にステップＳ７９において紙幣釣銭収納庫２５及び硬貨釣銭収納庫３６に収納された現金額を加算し、加算後の金額を今回の釣銭収納額とする。また、主制御部１１は、装置内有高管理テーブル内の最新の売上収納額にステップＳ７９において紙幣回収庫２６及び硬貨回収庫３７に収納された現金額を加算し、加算後の金額を今回の売上収納額とする（ステップＳ７８）。
【００６８】
このような入金制御により、入金前の小口出金に伴う紙幣釣銭収納庫２５及び硬貨釣銭収納庫３６の減額が完全に補填されていない状態においてのみ、入金処理により供給される現金が小口出金に伴う紙幣釣銭収納庫２５及び硬貨釣銭収納庫３６の減額の補填に優先的に使用されることになる。これによって、入金処理前の小口出金に伴う幣釣銭収納庫２５及び硬貨釣銭収納庫３６の減額が無くなるため、入金処理時における小口出金に伴う過収納を防止することが可能となる。
【００６９】
次に、図３及び図８を参照しつつ、実際の入出金処理の具体例を説明するとともに、本発明の具体的な効果を説明する。
【００７０】
先ず、小売店の開店前の状態として、紙幣回収庫２６及び硬貨回収庫３７内の現金額である売上収納額は０円であり、紙幣釣銭収納庫２５及び硬貨釣銭収納庫３６内の現金額である釣銭収納額は５０万円である。
【００７１】
その後、小売店の開店前に、管理者によって小口出金として１０万円が現金入出金機１０から出金される。この小口出金処理後の売上収納額は、０円から１０万円だけ減算した金額であるマイナス１０万円になる。また、この小口出金処理後の釣銭収納額は、５０万円から１０万円だけ減算した金額である４０万円になる。この小口出金処理後に更新登録された装置内有高管理テーブルを図３の通番１の行に記載する。
【００７２】
前回の小口出金後に、更に管理者によって追加の小口出金として１０万円が現金入出金機１０から出金される。この小口出金処理後の売上収納額は、マイナス１０万円から１０万円だけ減算した金額であるマイナス２０万円になる。また、この小口出金処理後の釣銭収納額は、４０万円から１０万円だけ減算した金額である３０万円になる。この小口出金処理後に更新登録された装置内有高管理テーブルを図３の通番２の行に記載する。
【００７３】
その後、レジ番号１のレジ担当者により、レジスタ準備金である通常出金として１０万円が現金入出金機１０から出金される。この通常出金処理後の売上収納額は、マイナス２０万円から変更が無い。また、この通常出金処理後の釣銭収納額は、３０万円から１０万円だけ減算した金額である２０万円になる。この通常出金処理後に更新登録された装置内有高管理テーブルを図３の通番３の行に記載する。
【００７４】
更に、レジ番号２のレジ担当者により、レジスタ準備金である通常出金として１０万円が現金入出金機１０から出金される。この通常出金処理後の売上収納額は、マイナス２０万円から変更が無い。また、この通常出金処理後の釣銭収納額は、２０万円から１０万円だけ減算した金額である１０万円になる。この通常出金処理後に更新登録された装置内有高管理テーブルを図３の通番４の行に記載する。
【００７５】
その後、小売店の営業時間が終了し、レジ番号２のレジ担当者によって通常出金したレジスタ準備金を含む売上金として１５万円が現金入出金機１０に入金される。入金額１５万円の詳細は、一万円札が２枚、五千円札が２０枚、千円札が３０枚である。しかしながら、入金額１５万円は、小売出金に伴う紙幣釣銭収納庫２５及び硬貨釣銭収納庫３６の減額（マイナス２０万円）を完全に補填することができないため、入金処理の全額が紙幣釣銭収納庫２５に収納される。従って、この入金処理後の売上額は、入金額の１５万円から通常出金額の１０万円だけ減算した金額である５万円になる。また、この入金処理後の売上収納額は、マイナス２０万円から１５万円だけ加算した金額であるマイナス５万円になる。更に、この入金処理後の釣銭収納額は、１０万円から１５万円だけ加算した金額である２５万円になる。この通常出金処理後に更新登録された装置内有高管理テーブルを図３の通番５の行に記載する。
【００７６】
続いて、レジ番号１のレジ担当者によって通常出金したレジスタ準備金を含む売上金として４０万円が現金入出金機１０に入金される。
【００７７】
入金額４０万円の詳細は、一万円札が１５枚、五千円札が２０枚、千円札が１５０枚である。ここで、五千円札及び千円札からなる２５万円だけで、小口出金に伴う紙幣釣銭収納庫２５及び硬貨釣銭収納庫３６の減額（マイナス５万円）を完全に補填することができるため、五千円札及び千円札からなる２５万円だけが紙幣釣銭収納庫２５に収納される。一方、小口出金に伴う紙幣釣銭収納庫２５及び硬貨釣銭収納庫３６の減額（マイナス５万円）が完全に補填されているため、一万円札１５枚はすべて紙幣回収庫２６に収納される。従って、この入金処理後の売上額は、入金額の４０万円から通常出金額の１０万円だけ減算した金額である３０万円になる。また、この入金処理後の売上収納額は、紙幣回収庫２６に収納される１５万円になる。更に、この入金処理後の釣銭収納額は、２５万円から２５万円だけ加算した金額である５０万円になる。この通常出金処理後に更新登録された装置内有高管理テーブルを図３の通番６の行に記載する。
【００７８】
すべてのレジスタからの入金処理の終了後に、管理者によって締上処理が行われる。締上の結果として、合計出金額が４０万円（通番１乃至４の合計金額）、合計入金額が４５万円（通番５及び６の合計金額）、最終売上額が１５万円となる。また、売上額が３５万円、売上収納額が１５万円、釣銭収納額が５０万円となる。
【００７９】
従来の入出金管理方法によると、２つのレジスタからの入金の一万円が１７枚であることから、締上時に売上収納額が１７万となり、２万円の過収納が発生することになる。しかしながら、本実施例の入出金管理方法によれば、売上収納額と最終売上額が一致しており、過収納が発生しないことが上記の具体例から判る。
【００８０】
以上のように、本発明の入出金管理方法によれば、回収庫に収納された現金額が０円である場合において小口出金が行われる度に小口出金の金額を累積処理し、小口出金が累積されている場合に入金処理が行われると、小口出金の累積額から入金処理の入金額を減じ、入金処理の入金額が小口出金の累積額よりも多い場合にのみ、複数のレジスタの各々から回収した現金を回収庫に収納することを許容することによって、締上時点における現金回収庫の過収納を防止することができる。
【図面の簡単な説明】
【００８１】
【図１】従来の現金入出金機を使用した場合の入出金の状態を示す説明図である。
【図２】本発明の実施例である現金入出金機のブロック図である。
【図３】装置内有高管理テーブルの構成図である。
【図４】本発明の実施例である現金入出金機における小口出金処理の処理フローである。
【図５】図４における入出金処理履歴の更新登録における売上収納額及び釣銭収納額の算出処理の処理フローである。
【図６】本発明の実施例である現金入出金機における入金処理の処理フローである。
【図７】図６における入金処理及び入出金処理履歴の更新登録における売上収納額及び釣銭収納額の算出処理の処理フローである。
【図８】本発明の実施例である入出金管理方法が実施された場合の入出金の状態を示す説明図である。
【符号の説明】
【００８２】
１０  現金入出金機
１１  主制御部
１２  記憶部
１３  表示部
１４  カードリーダ
１５  入力部
１６  伝票記録部
１７  紙幣取扱部
１８  硬貨取扱部
【図１】
2010072925.tif 000003
【図２】
2010072925.tif 000004
【図３】
2010072925.tif 000005
【図４】
2010072925.tif 000006
【図５】
2010072925.tif 000007
【図６】
2010072925.tif 000008
【図７】
2010072925.tif 000009
【図８】
2010072925.tif 000010